(57)【要約】【課題】簡易な制御構成で、画素電極の位置によって生じるソース信号の波形の差異による影響を低減する。【解決手段】表示装置１は、表示部１２と、ソース信号線の第２端部に接続され、第１画素電極に対する第１ソース信号及び第２画素電極に対する第２ソース信号をソース信号線に出力するソース駆動部１４と、第１、第２ゲート信号線に第１、第２ゲート信号を出力するゲート駆動部１３と、ゲート駆動部及びソース駆動部を制御して、第１及び第２ソース信号の出力タイミングに対する第１及び第２ゲート信号の出力タイミングを制御する制御部１１とを備える。制御部１１は、第１ソース信号の出力タイミングから第１ゲート信号の出力タイミングまでの第１時間間隔を、第２ソース信号の出力タイミングから第２ゲート信号の出力タイミングまでの第２時間間隔よりも長くする。【選択図】図１
2014063029.tif 000002
【特許請求の範囲】
【請求項１】
第１端部から第２端部まで延びるソース信号線と、前記ソース信号線と交差する第１ゲート信号線と、前記第１ゲート信号線よりも前記第２端部に近い位置で前記ソース信号線と交差する第２ゲート信号線と、前記ソース信号線と前記第１ゲート信号線とに接続された第１画素電極と、前記ソース信号線と前記第２ゲート信号線とに接続された第２画素電極と、を有する表示部と、
前記ソース信号線の前記第２端部に接続され、前記第１画素電極に対する第１ソース信号及び前記第２画素電極に対する第２ソース信号を前記ソース信号線に出力するソース駆動部と、
前記第１ゲート信号線に第１ゲート信号を出力し、前記第２ゲート信号線に第２ゲート信号を出力するゲート駆動部と、
前記ゲート駆動部及び前記ソース駆動部を制御して、前記第１ソース信号及び前記第２ソース信号の出力タイミングに対する前記第１ゲート信号及び前記第２ゲート信号の出力タイミングを制御する制御部と、
を備え、
前記制御部は、前記第１ソース信号の出力タイミングから前記第１ゲート信号の出力タイミングまでの第１時間間隔を、前記第２ソース信号の出力タイミングから前記第２ゲート信号の出力タイミングまでの第２時間間隔よりも長くすることを特徴とする表示装置。
【請求項２】
前記第１時間間隔は、前記ソース駆動部から前記第１画素電極までの距離に応じて決定され、前記第２時間間隔は、前記ソース駆動部から前記第２画素電極までの距離に応じて決定されることを特徴とする請求項１記載の表示装置。
【請求項３】
前記第１ゲート信号線と前記第２ゲート信号線とは互いに隣接して配置され、
前記ゲート駆動部は、前記第１ゲート信号線に前記第１ゲート信号を出力した直後に前記第２ゲート信号線に前記第２ゲート信号を出力し、
前記制御部は、前記ソース駆動部を制御する制御モードとして、前記第２ソース信号の極性が前記第１ソース信号の極性に対して反転する第１制御モードと、前記第２ソース信号の極性が前記第１ソース信号の極性に対して反転しない第２制御モードとで、前記ソース駆動部を制御し、
前記第１制御モードにおける前記第２時間間隔は、前記第２制御モードにおける前記第２時間間隔より長い間隔に設定されていることを特徴とする請求項１又は２に記載の表示装置。
【請求項４】
前記表示部の温度に対応する温度を検出する温度検出部をさらに備え、
前記表示部は、液晶を用いて画像を表示する液晶表示部であり、
前記制御部は、前記温度検出部により検出された温度が所定温度以上か否かを判定する判定部を含み、前記判定部による判定結果が前記所定温度未満の場合には、前記判定部による判定結果が前記所定温度以上の場合に比べて、前記第１時間間隔及び前記第２時間間隔が長くなるように、前記ゲート駆動部を制御することを特徴とする請求項１乃至３のいずれか１項に記載の表示装置。
【請求項５】
前記表示部は、前記第２ゲート信号線よりも前記第２端部に近い位置で前記ソース信号線と交差する第３ゲート信号線と、前記ソース信号線と前記第３ゲート信号線とに接続された第３画素電極と、をさらに有し、
前記第２ゲート信号線は、前記第１ゲート信号線及び前記第３ゲート信号線に隣接して配置され、
前記ソース駆動部は、前記第３画素電極に対する第３ソース信号を前記ソース信号線に出力し、
前記ゲート駆動部は、前記第３ゲート信号線に第３ゲート信号を出力し、
前記制御部は、
前記第３ソース信号の出力タイミングから前記第３ゲート信号の出力タイミングまでの第３時間間隔よりも、前記第２時間間隔を長くし、かつ、
前記第３ソース信号の出力タイミングと前記第２ソース信号の出力タイミングとの時間間隔と、前記第２ソース信号の出力タイミングと前記第１ソース信号の出力タイミングとの時間間隔とを、実質的に等しくすることを特徴とする請求項１乃至４のいずれか１項に記載の表示装置。
【請求項６】
前記表示部は、前記第２ゲート信号線よりも前記第２端部に近い位置で前記ソース信号線と交差する第３ゲート信号線と、前記ソース信号線と前記第３ゲート信号線とに接続された第３画素電極と、をさらに有し、
前記第２ゲート信号線は、前記第１ゲート信号線及び前記第３ゲート信号線に隣接して配置され、
前記ソース駆動部は、前記第３画素電極に対する第３ソース信号を前記ソース信号線に出力し、
前記ゲート駆動部は、前記第３ゲート信号線に第３ゲート信号を出力し、
前記制御部は、
前記第３ソース信号の出力タイミングから前記第３ゲート信号の出力タイミングまでの第３時間間隔よりも、前記第２時間間隔を長くし、かつ、
前記第１ゲート信号の出力タイミングと前記第２ゲート信号の出力タイミングとの時間間隔と、前記第２ゲート信号の出力タイミングと前記第３ゲート信号の出力タイミングとの時間間隔とを、実質的に等しくすることを特徴とする請求項１乃至４のいずれか１項に記載の表示装置。
【請求項７】
前記ゲート駆動部は、前記制御部からマスク信号が出力されると、前記第１ゲート信号、前記第２ゲート信号及び前記第３ゲート信号の出力を停止するように構成され、
前記制御部は、前記第１ゲート信号の出力後かつ前記第２ゲート信号の出力前に、前記マスク信号を前記ゲート駆動部に出力し、前記第２ゲート信号の出力後かつ前記第３ゲート信号の出力前に、前記マスク信号を前記ゲート駆動部に出力することを特徴とする請求項５又は６に記載の表示装置。
【請求項８】
前記制御部は、前記第１ゲート信号の出力後かつ前記第２ソース信号の出力前に、前記マスク信号を前記ゲート駆動部に出力し、前記第２ゲート信号の出力後かつ前記第３ソース信号の出力前に、前記マスク信号を前記ゲート駆動部に出力することを特徴とする請求項７に記載の表示装置。
【発明の詳細な説明】
【技術分野】
【０００１】
本発明は、表示部に画像を表示する表示装置に関するものである。
【背景技術】
【０００２】
コンピュータやその他の情報機器の高精細度カラーモニター、あるいはテレビジョン受像機といった表示装置として、例えば液晶表示装置が使用される。液晶表示装置は、基本的には、少なくとも一方が透明なガラス等からなる二枚の基板の間に、液晶を挟持した液晶表示部を有する。そして、液晶表示装置は、この液晶表示部の基板に形成された画素電極に選択的に電圧を印加する駆動部を備える。この駆動部による電圧印加によって、各画素電極の画素が制御される。
【０００３】
液晶表示部は、一般に、複数のゲート信号線、複数のソース信号線及び複数の画素電極を備える。複数のゲート信号線は、それぞれ例えば横方向（主走査方向）に延びており、縦方向（副走査方向）に並んで設けられている。複数のソース信号線は、それぞれ例えば縦方向（副走査方向）に延びており、横方向（主走査方向）に並んで設けられている。複数のゲート信号線及び複数のソース信号線の交点に、マトリクス状に複数の薄膜トランジスタ（ＴＦＴ）及び画素電極が配置されている。ゲート駆動部は、ゲート信号線に、ＴＦＴをオンオフするための電圧（ゲート信号）を印加する。ソース駆動部は、ソース信号線に、画素電極に入力画像信号に基づく電圧（ソース信号）を印加して、画素電極に対応して設けられた液晶の透過率を、ソース信号に応じた値に制御する。
【０００４】
ここで、従来の液晶表示装置では、ソース駆動部により同レベルのソース信号を画素電極に印加しても、画素電極の位置によって、ソース信号の波形に差異が生じることがあった。例えば、ソース駆動部に近い位置の画素電極に比べて、ソース駆動部から遠い位置の画素電極では、ソース信号の波形が鈍って緩やかな波形になっていた。このため、画素電極に印加されるソース信号のレベルが所望の値に変化するまでにゲート信号の出力が終了すると、画素電極に対応して設けられた液晶の透過率を所望の値に制御できない場合があった。その結果、表示部に表示される画像の品位が低下する場合があった。
【０００５】
そこで、例えば特許文献１に記載の表示装置では、入力画像信号に基づくソース信号よりもさらに高い信号（プリチャージ電圧）を１水平走査期間の前半で印加し、その後半に入力画像信号に基づくソース信号を印加するプリチャージ方式を採用することで、ゲート信号の出力が終了するまでに、画素電極に印加されるソース信号のレベルが所望の値に変化するようにしている。
【先行技術文献】
【特許文献】
【０００６】
【特許文献１】特開２００５−１４０８８３号公報
【発明の概要】
【発明が解決しようとする課題】
【０００７】
しかしながら、上記特許文献１に記載の表示装置では、画素電極の位置に応じて、適切なレベルのプリチャージ電圧を印加できるようにするために、複雑な制御構成になっていた。
【０００８】
本発明は、上述した課題を解決するためになされたもので、簡易な制御構成で、画素電極の位置によって生じるソース信号の波形の差異による影響を低減することができる表示装置を提供することを目的とする。
【課題を解決するための手段】
【０００９】
本発明に係る表示装置は、第１端部から第２端部まで延びるソース信号線と、前記ソース信号線と交差する第１ゲート信号線と、前記第１ゲート信号線よりも前記第２端部に近い位置で前記ソース信号線と交差する第２ゲート信号線と、前記ソース信号線と前記第１ゲート信号線とに接続された第１画素電極と、前記ソース信号線と前記第２ゲート信号線とに接続された第２画素電極と、を有する表示部と、前記ソース信号線の前記第２端部に接続され、前記第１画素電極に対する第１ソース信号及び前記第２画素電極に対する第２ソース信号を前記ソース信号線に出力するソース駆動部と、前記第１ゲート信号線に第１ゲート信号を出力し、前記第２ゲート信号線に第２ゲート信号を出力するゲート駆動部と、前記ゲート駆動部及び前記ソース駆動部を制御して、前記第１ソース信号及び前記第２ソース信号の出力タイミングに対する前記第１ゲート信号及び前記第２ゲート信号の出力タイミングを制御する制御部と、を備え、前記制御部は、前記第１ソース信号の出力タイミングから前記第１ゲート信号の出力タイミングまでの第１時間間隔を、前記第２ソース信号の出力タイミングから前記第２ゲート信号の出力タイミングまでの第２時間間隔よりも長くする。
【００１０】
この構成によれば、ソース信号線は、第１端部から第２端部まで延びる。第１ゲート信号線は、ソース信号線と交差する。第２ゲート信号線は、第１ゲート信号線よりも第２端部に近い位置でソース信号線と交差する。第１画素電極は、ソース信号線と第１ゲート信号線とに接続されている。第２画素電極は、ソース信号線と第２ゲート信号線とに接続されている。ソース駆動部は、ソース信号線の第２端部に接続されている。第１画素電極及び第２ソース信号が、ソース駆動部によりソース信号線に出力される。ゲート駆動部により、第１ゲート信号線に第１ゲート信号が出力され、第２ゲート信号線に第２ゲート信号が出力される。ゲート駆動部及びソース駆動部が制御部により制御されて、ソース信号の出力タイミングに対する第１ゲート信号及び第２ゲート信号の出力タイミングが制御される。制御部は、第１ソース信号の出力タイミングから第１ゲート信号の出力タイミングまでの第１時間間隔を、第２ソース信号の出力タイミングから第２ゲート信号の出力タイミングまでの第２時間間隔よりも長くする。
【００１１】
このように、ソース駆動部は、ソース信号線の第２端部に接続されているため、ソース駆動部と第１画素電極との距離は、ソース駆動部と第２画素電極との距離に比べて長い。したがって、ソース駆動部がソース信号を出力したとき、第１画素電極でのソース信号の波形は、第２画素電極でのソース信号の波形に比べて鈍ってしまう。
【００１２】
しかし、この構成では、第１時間間隔が第２時間間隔より長い。つまり、第１ソース信号の出力タイミングから第１ゲート信号の出力タイミングまでの第１時間間隔は、第２ソース信号の出力タイミングから第２ゲート信号の出力タイミングまでの第２時間間隔に比べて長い。したがって、第１画素電極でのソース信号の波形が第２画素電極に比べて鈍っていても、ソース信号の波形が十分に変化した後で、第１ゲート信号が出力される。このため、第１時間間隔を第２時間間隔より長くするだけの簡易な制御構成で、ソース駆動部との距離が異なる第１画素電極と第２画素電極でのソース信号の波形の差異による影響を低減することができる。その結果、表示部に表示される画像の品位の低下度合を小さくすることができる。
【００１３】
上記表示装置において、前記第１時間間隔は、前記ソース駆動部から前記第１画素電極までの距離に応じて決定され、前記第２時間間隔は、前記ソース駆動部から前記第２画素電極までの距離に応じて決定されるとしてもよい。
【００１４】
この構成によれば、第１時間間隔は、ソース駆動部から第１画素電極までの距離に応じて決定され、第２時間間隔は、ソース駆動部から第２画素電極までの距離に応じて決定される。したがって、第１時間間隔及び第２時間間隔をソース信号の波形の鈍り度合に応じた適切な間隔とすることができる。
【００１５】
上記表示装置において、前記第１ゲート信号線と前記第２ゲート信号線とは互いに隣接して配置され、前記ゲート駆動部は、前記第１ゲート信号線に前記第１ゲート信号を出力した直後に前記第２ゲート信号線に前記第２ゲート信号を出力し、前記制御部は、前記ソース駆動部を制御する制御モードとして、前記第２ソース信号の極性が前記第１ソース信号の極性に対して反転する第１制御モードと、前記第２ソース信号の極性が前記第１ソース信号の極性に対して反転しない第２制御モードとを含み、前記第１制御モードにおける前記第２時間間隔は、前記第２制御モードにおける前記第２時間間隔より長い間隔に設定されているとしてもよい。
【００１６】
この構成によれば、第１ゲート信号線と第２ゲート信号線とは互いに隣接して配置されている。ゲート駆動部は、第１ゲート信号線に第１ゲート信号を出力した直後に第２ゲート信号線に第２ゲート信号を出力する。制御部は、ソース駆動部を制御する制御モードとして、第２ソース信号の極性が第１ソース信号の極性に対して反転する第１制御モードと、第２ソース信号の極性が第１ソース信号の極性に対して反転しない第２制御モードとを含む。第１制御モードにおける第２時間間隔は、第２制御モードにおける第２時間間隔より長い。
【００１７】
ここで、第２ソース信号の極性が、直前に出力された第１ソース信号の極性に対して反転する場合は、反転しない場合に比べて、ソース信号の波形の鈍り度合が大きくなる。しかし、この構成では、第２ソース信号の極性が第１ソース信号の極性に対して反転する第１制御モードにおける第２時間間隔は、反転しない第２制御モードにおける第２時間間隔に比べて長い。このため、第２時間間隔をソース信号の波形の鈍り度合に応じた適切な間隔とすることができる。
【００１８】
上記表示装置において、前記表示部の温度に対応する温度を検出する温度検出部をさらに備え、前記表示部は、液晶を用いて画像を表示する液晶表示部であり、前記制御部は、前記温度検出部により検出された温度が所定温度以上か否かを判定する判定部を含み、前記判定部による判定結果が前記所定温度未満の場合には、前記判定部による判定結果が前記所定温度以上の場合に比べて、前記第１時間間隔及び前記第２時間間隔が長くなるように、前記ゲート駆動部を制御するとしてもよい。
【００１９】
この構成によれば、表示部の温度に対応する温度が、温度検出部により検出される。表示部は、液晶を用いて画像を表示する液晶表示部である。温度検出部により検出された温度が所定温度以上か否かが、判定部により判定される。判定部による判定結果が所定温度未満の場合には、判定部による判定結果が所定温度以上の場合に比べて、第１時間間隔及び第２時間間隔が長くなるように、ゲート駆動部が制御部により制御される。
【００２０】
ここで、液晶の応答速度は、所定温度未満の場合には、所定温度以上の場合に比べて低下する。このため、所定温度未満の場合には、所定温度以上の場合に比べて、ソース信号の波形の鈍りによる影響が大きくなる。これに対して、この構成では、所定温度未満の場合には、所定温度以上の場合に比べて、第１時間間隔及び第２時間間隔が長くなる。したがって、第１時間間隔及び第２時間間隔を液晶の応答速度に応じた適切な間隔とすることができる。
【００２１】
上記表示装置において、前記表示部は、前記第２ゲート信号線よりも前記第２端部に近い位置で前記ソース信号線と交差する第３ゲート信号線と、前記ソース信号線と前記第３ゲート信号線とに接続された第３画素電極と、をさらに有し、前記第２ゲート信号線は、前記第１ゲート信号線及び前記第３ゲート信号線に隣接して配置され、前記ソース駆動部は、前記第３画素電極に対する第３ソース信号を前記ソース信号線に出力し、前記ゲート駆動部は、前記第３ゲート信号線に第３ゲート信号を出力し、前記制御部は、前記第３ソース信号の出力タイミングから前記第３ゲート信号の出力タイミングまでの第３時間間隔よりも、前記第２時間間隔を長くし、かつ、前記第３ソース信号の出力タイミングと前記第２ソース信号の出力タイミングとの時間間隔と、前記第２ソース信号の出力タイミングと前記第１ソース信号の出力タイミングとの時間間隔とを、実質的に等しくするとしてもよい。
【００２２】
この構成によれば、第３ゲート信号線は、第２ゲート信号線よりも第２端部に近い位置でソース信号線と交差する。第３画素電極は、ソース信号線と第３ゲート信号線とに接続されている。第２ゲート信号線は、第１ゲート信号線及び第３ゲート信号線に隣接して配置されている。第３ソース信号は、ソース駆動部によりソース信号線に出力される。第３ゲート信号は、ゲート駆動部により第３ゲート信号線に出力される。
【００２３】
制御部により、第３ソース信号の出力タイミングから第３ゲート信号の出力タイミングまでの第３時間間隔よりも、第２時間間隔が長くされる。したがって、第２画素電極でのソース信号の波形が第３画素電極に比べて鈍っていても、ソース信号の波形が十分に変化した後で、第２ゲート信号が出力される。このため、第２時間間隔を第３時間間隔より長くするだけの簡易な制御構成で、ソース駆動部との距離が異なる第２画素電極と第３画素電極でのソース信号の波形の差異による影響を低減することができる。
【００２４】
また、制御部により、第３ソース信号の出力タイミングと第２ソース信号の出力タイミングとの時間間隔と、第２ソース信号の出力タイミングと第１ソース信号の出力タイミングとの時間間隔とが、実質的に等しくされる。したがって、第１ソース信号の印加時間と、第２ソース信号の印加時間とを実質的に等しくすることができる。その結果、第１ソース信号及び第２ソース信号の印加を簡易な構成で好適に行うことができる。
【００２５】
上記表示装置において、前記表示部は、前記第２ゲート信号線よりも前記第２端部に近い位置で前記ソース信号線と交差する第３ゲート信号線と、前記ソース信号線と前記第３ゲート信号線とに接続された第３画素電極と、をさらに有し、前記第２ゲート信号線は、前記第１ゲート信号線及び前記第３ゲート信号線に隣接して配置され、前記ソース駆動部は、前記第３ソース信号を前記ソース信号線に出力し、前記ゲート駆動部は、前記第３ゲート信号線に第３ゲート信号を出力し、前記制御部は、前記第３ソース信号の出力タイミングから前記第３ゲート信号の出力タイミングまでの第３時間間隔よりも、前記第２時間間隔を長くし、かつ、前記第１ゲート信号の出力タイミングと前記第２ゲート信号の出力タイミングとの時間間隔と、前記第２ゲート信号の出力タイミングと前記第３ゲート信号の出力タイミングとの時間間隔とを、実質的に等しくするとしてもよい。
【００２６】
この構成によれば、第３ゲート信号線は、第２ゲート信号線よりも第２端部に近い位置でソース信号線と交差する。第３画素電極は、ソース信号線と第３ゲート信号線とに接続されている。第２ゲート信号線は、第１ゲート信号線及び第３ゲート信号線に隣接して配置されている。第３ソース信号は、ソース駆動部によりソース信号線に出力される。第３ゲート信号は、ゲート駆動部により第３ゲート信号線に出力される。
【００２７】
制御部により、第３ソース信号の出力タイミングから第３ゲート信号の出力タイミングまでの第３時間間隔よりも、第２時間間隔が長くされる。したがって、第２画素電極でのソース信号の波形が第３画素電極に比べて鈍っていても、ソース信号の波形が十分に変化した後で、第２ゲート信号が出力される。このため、第２時間間隔を第３時間間隔より長くするだけの簡易な制御構成で、ソース駆動部との距離が異なる第２画素電極と第３画素電極でのソース信号の波形の差異による影響を低減することができる。
【００２８】
また、制御部により、第１ゲート信号の出力タイミングと第２ゲート信号の出力タイミングとの時間間隔と、第２ゲート信号の出力タイミングと第３ゲート信号の出力タイミングとの時間間隔とが、実質的に等しくされる。したがって、第１ゲート信号の出力時間と第２ゲート信号の出力時間とが実質的に等しくなる。このため、第１ソース信号の印加時間と、第２ソース信号の印加時間とを実質的に等しくすることができる。その結果、第１ソース信号及び第２ソース信号の印加を簡易な構成で好適に行うことができる。
【００２９】
上記表示装置において、前記ゲート駆動部は、前記制御部からマスク信号が出力されると、前記第１ゲート信号、前記第２ゲート信号及び前記第３ゲート信号の出力を停止するように構成され、前記制御部は、前記第１ゲート信号の出力後かつ前記第２ゲート信号の出力前に、前記マスク信号を前記ゲート駆動部に出力し、前記第２ゲート信号の出力後かつ前記第３ゲート信号の出力前に、前記マスク信号を前記ゲート駆動部に出力するとしてもよい。
【００３０】
この構成によれば、ゲート駆動部は、制御部からマスク信号が出力されると、第１ゲート信号、第２ゲート信号及び第３ゲート信号の出力を停止するように構成されている。制御部により、第１ゲート信号の出力後かつ第２ゲート信号の出力前に、マスク信号がゲート駆動部に出力される。このため、第１ゲート信号の出力が停止される。したがって、第２ソース信号が第１画素電極に印加されることによる影響の度合を低減することができる。また、制御部により、第２ゲート信号の出力後かつ第３ゲート信号の出力前に、マスク信号がゲート駆動部に出力される。このため、第２ゲート信号の出力が停止される。したがって、第３ソース信号が第２画素電極に印加されることによる影響の度合を低減することができる。
【００３１】
上記表示装置において、前記制御部は、前記第１ゲート信号の出力後かつ前記第２ソース信号の出力前に、前記マスク信号を前記ゲート駆動部に出力し、前記第２ゲート信号の出力後かつ前記第３ソース信号の出力前に、前記マスク信号を前記ゲート駆動部に出力するとしてもよい。
【００３２】
この構成によれば、制御部により、第１ゲート信号の出力後かつ第２ソース信号の出力前に、マスク信号がゲート駆動部に出力される。このため、第２ソース信号の出力前に、第１ゲート信号の出力が停止される。したがって、第２ソース信号が第１画素電極に印加されるのを防止することができる。また、制御部により、第２ゲート信号の出力後かつ第３ソース信号の出力前に、マスク信号がゲート駆動部に出力される。このため、第３ソース信号の出力前に、第２ゲート信号の出力が停止される。したがって、第３ソース信号が第２画素電極に印加されるのを防止することができる。
【発明の効果】
【００３３】
本発明によれば、第１時間間隔を第２時間間隔より長くするだけの簡易な制御構成で、ソース駆動部との距離が異なる第１画素電極と第２画素電極でのソース信号の波形の差異による影響を低減することができる。その結果、表示部に表示される画像の品位の低下度合を小さくすることができる。
【図面の簡単な説明】
【００３４】
【図１】本発明の一実施形態の液晶表示装置の構成を示すブロック図である。
【図２】図１に示される液晶表示パネルの信号線の接続状態を示す回路図である。
【図３】一のフレームにおける各部の信号を示すタイミングチャートである。
【図４】図３と異なる駆動モードにおいて、一のフレームにおける各部の信号を示すタイミングチャートである。
【図５】別の実施形態における液晶表示装置の構成を示すブロック図である。
【図６】さらに別の実施形態における液晶表示装置の構成を示すブロック図である。
【図７】図６の実施形態において、一のフレームにおける各部の信号の一例を示すタイミングチャートである。
【図８】図６の実施形態において、一のフレームにおける各部の信号の別の例を示すタイミングチャートである。
【発明を実施するための形態】
【００３５】
図１は、本発明の一実施形態の液晶表示装置の構成を示すブロック図である。図２は、図１に示される液晶表示パネルの信号線の接続状態を示す回路図である。図１に示されるように、液晶表示装置１は、制御部１１と、液晶表示パネル１２と、ゲート駆動部１３と、ソース駆動部１４とを備える。
【００３６】
液晶表示パネル１２は、図２に示されるように、複数のソース信号線Ｓ１，Ｓ２，・・・，Ｓｍ、複数のゲート信号線Ｇ１，Ｇ２，・・・，Ｇｎ、複数の薄膜トランジスタＱ及び複数の画素電極Ｒ，Ｇ，Ｂ（つまり赤色の画素電極Ｒ、緑色の画素電極Ｇ及び青色の画素電極Ｂ）を備える。複数のソース信号線Ｓ１，Ｓ２，・・・，Ｓｍは、それぞれ縦方向（副走査方向）に延びており、横方向（主走査方向）に並んで設けられている。複数のゲート信号線Ｇ１，Ｇ２，・・・，Ｇｎは、それぞれ横方向（主走査方向）に延びており、縦方向（副走査方向）に並んで設けられている。複数のソース信号線Ｓ１，Ｓ２，・・・，Ｓｍ及び複数のゲート信号線Ｇ１，Ｇ２，・・・，Ｇｎの交点に、マトリクス状に複数の薄膜トランジスタＱ及び複数の画素電極Ｒ，Ｇ，Ｂが配置されている。
【００３７】
図２に示されるように、ソース信号線Ｓ１は、上端Ｅ１から下端Ｅ２まで延びている。ソース信号線Ｓ２〜Ｓｍも、上端から下端まで延びている。ソース駆動部１４は、ソース信号線Ｓ１〜Ｓｍの下端（ソース信号線Ｓ１の下端Ｅ２）に接続されている。
【００３８】
制御部１１は、ゲート駆動部１３及びソース駆動部１４を制御して、液晶表示パネル１２のマトリクス状に配置された画素電極Ｒ，Ｇ，Ｂに対して、１フレームごとに、入力画像信号に対応する電圧を１回印加する。つまり、制御部１１は、液晶表示パネル１２のマトリクス状に配置された画素電極Ｒ，Ｇ，Ｂの画素（液晶）に対して１フレームごとに画像データを１回書き込む。
【００３９】
制御部１１は、駆動制御部２１と信号処理部２２とを備える。駆動制御部２１は、ゲート駆動部１３にゲート駆動信号を出力する。ゲート駆動部１３は、ゲート駆動信号に基づき、ゲート信号線Ｇ１，Ｇ２，・・・，Ｇｎに対して上から下に向かって順番に、走査電圧（ゲート信号）を印加して、対応するゲート信号線Ｇ１，Ｇ２，・・・，Ｇｎの薄膜トランジスタＱを順番にオンにする。
【００４０】
信号処理部２２は、入力画像信号に基づき、画像制御信号をソース駆動部１４に出力して、ソース駆動部１４を制御する。ソース駆動部１４は、ゲート駆動部１３により選択されている（つまり薄膜トランジスタＱがオンにされている）ゲート信号線Ｇ１，Ｇ２，・・・，Ｇｎに対応する画素電極Ｒ，Ｇ，Ｂに、ソース信号線Ｓ１，Ｓ２，・・・，Ｓｍを介して、入力画像信号に対応する電圧（ソース信号）を印加する。これによって、入力画像信号に対応する電圧が、画素電極Ｒ，Ｇ，Ｂの画素（液晶）に印加されて、画素電極Ｒ，Ｇ，Ｂの画素（液晶）の透過率が制御される。
【００４１】
ゲート駆動部１３及びソース駆動部１４により、ゲート信号線Ｇ１，Ｇ２，・・・，Ｇｎに対するソース信号の印加が上から下まで完了することによって、入力画像信号に対応する画像データが１回全画素に対して書き込まれる。全画素に対する画像データの書込みによって、１フレームの画像が生成される。液晶表示パネル１２は、その書き込まれた画像データを次の画像データの書込みまで１フレーム期間、保持するホールド型の表示部である。
【００４２】
制御部１１により、１フレームの画像生成が所定のフレーム周波数で繰り返されることによって、液晶表示パネル１２に表示される画像が視聴者によって視認される。なお、液晶表示パネル１２としては、ＩＰＳ（Ｉｎ  Ｐｌａｎｅ  Ｓｗｉｔｃｈｉｎｇ）方式、ＶＡ（Ｖｅｒｔｉｃａｌ  Ａｌｉｇｎｍｅｎｔ）方式、その他のいずれの方式を適用してもよい。
【００４３】
図３は、一のフレームにおける各部の信号を示すタイミングチャートである。図３では、ゲート信号線の本数ｎ＝８とし、ゲート信号線Ｇ３，Ｇ６，Ｇ７に対応する信号の図示が省略されている。図１乃至図３を用いて、本実施形態における、制御部１１によるゲート信号及びソース信号の出力タイミングが説明される。
【００４４】
図３の「ソース信号の出力タイミング」に示されているように、ソース信号線Ｓ１〜Ｓｍに対するソース信号は、一定期間Ｔｓずつ、ゲート信号線Ｇ１〜Ｇ８ごとに順番に出力される。すなわち、ゲート信号線Ｇ１に対応する、ソース信号線Ｓ１〜Ｓｍに対するソース信号が、一定期間Ｔｓの間出力される。続いて、ゲート信号線Ｇ２に対応する、ソース信号線Ｓ１〜Ｓｍに対するソース信号が、一定期間Ｔｓの間出力される。そして、ゲート信号線Ｇ８に対応するソース信号の出力まで、ソース信号線Ｓ１〜Ｓｍに対するソース信号の出力が繰り返される。
【００４５】
図３の「画素電極に印加されるソース信号の波形」は、例えば図２のソース信号線Ｓ１に出力される電圧波形を示している。図３では、カラム反転駆動モードの例が示されており、ゲート信号線Ｇ１〜Ｇ８に対して同一極性の電圧が印加されている。カラム反転駆動モードでは、ソース信号線Ｓ１に出力される電圧の極性が、図３に示されるように（＋）の場合には、ソース信号線Ｓ２，Ｓ４，・・・に出力される電圧の極性は（−）に設定され、ソース信号線Ｓ３，Ｓ５，・・・に出力される電圧の極性は（＋）に設定される。図３では、ゲート信号線Ｇ１，Ｇ５，Ｇ８に対応する入力画像信号の信号レベルは高くなっており、ゲート信号線Ｇ２，Ｇ４に対応する入力画像信号の信号レベルは低くなっている。
【００４６】
図３に示されるように、ゲート信号線Ｇ８に対応する画素電極に印加されるソース信号の波形は急峻に変化している。一方、ゲート信号線Ｇ１，Ｇ２に対応する画素電極に印加されるソース信号の波形は、緩やかに変化している。ゲート信号線Ｇ４，Ｇ５に対応する画素電極に印加されるソース信号の波形の変化度合は、両者の中間になっている。このような信号波形の差異は、ソース駆動部１４と各画素電極との距離が異なることに起因している。
【００４７】
図２に示されるように、ゲート信号線Ｇ１に対応する画素電極Ｐ１とソース駆動部１４との距離は最も長い。ゲート信号線Ｇ２，Ｇ３，・・・に対応する画素電極Ｐ２，Ｐ３，・・・とソース駆動部１４との距離は、順番に短くなる。ゲート信号線Ｇｎに対応する画素電極Ｐｎとソース駆動部１４との距離は最も短い。
【００４８】
したがって、図３において、ゲート信号線Ｇ８に対応する画素電極に印加されるソース信号の波形は、液晶による容量成分と配線長による抵抗成分との影響が最も小さいため、急峻に変化している。一方、ゲート信号線Ｇ１に対応する画素電極に印加されるソース信号の波形は、液晶による容量成分と配線長による抵抗成分との影響が最も大きいため、鈍って緩やかに変化している。
【００４９】
図３の「ゲートシフトクロック信号」に示されるように、ゲートシフトクロック信号は一定周期Ｔ０で出力されている。ゲート信号線Ｇ１のゲート信号は、ゲートシフトクロック信号に同期して、次のゲートシフトクロック信号までの１水平期間Ｔ０の幅でハイレベルとなる。ゲート信号は、図３に示されるように、ゲート信号線Ｇ８に向けて、ゲートシフトクロック信号に同期してシフトする。
【００５０】
図３において、時間間隔Ｄ１は、ゲート信号線Ｇ１のゲート信号の出力タイミングと、ゲート信号線Ｇ１に対応するソース信号の出力タイミングとの時間間隔である。同様に、時間間隔Ｄ２，Ｄ３，Ｄ４，Ｄ５は、それぞれ、ゲート信号線Ｇ２，Ｇ３，Ｇ４，Ｇ５のゲート信号の出力タイミングと、ゲート信号線Ｇ２，Ｇ３，Ｇ４，Ｇ５に対応するソース信号の出力タイミングとの時間間隔である。また、図示は省略されているが、時間間隔Ｄ６，Ｄ７は、それぞれ、ゲート信号線Ｇ６，Ｇ７のゲート信号の出力タイミングと、ゲート信号線Ｇ６，Ｇ７に対応するソース信号の出力タイミングとの時間間隔である。一方、ゲート信号線Ｇ８のゲート信号の出力タイミングと、ゲート信号線Ｇ８に対応するソース信号の出力タイミングとの時間間隔はゼロである。すなわち両者の出力タイミングは一致している。
【００５１】
このように、ゲート信号線Ｇ１〜Ｇ７では、ソース信号の出力タイミングに対して、ゲート信号の出力タイミングが遅れるように、ゲートシフトクロック信号が出力されている。ここで、ゲート信号線Ｇ１〜Ｇ７のゲート信号の出力タイミングと、ゲート信号線Ｇ１〜Ｇ７に対応するソース信号の出力タイミングとの時間間隔Ｄ１〜Ｄ７は、それぞれ、ゲート信号線Ｇ１〜Ｇ７に対応する画素電極と、ソース駆動部１４との距離に応じて設定されている。例えば、時間間隔Ｄ１は画素電極Ｐ１（図２）とソース駆動部１４との距離に応じて設定され、時間間隔Ｄ２は画素電極Ｐ２（図２）とソース駆動部１４との距離に応じて設定されている。つまり、時間間隔Ｄ１〜Ｄ７がＤ１＞Ｄ２＞Ｄ３＞Ｄ４＞Ｄ５＞Ｄ６＞Ｄ７となるように、ゲートシフトクロック信号が出力される。
【００５２】
本実施形態において、液晶表示パネル１２は表示部の一例に相当し、上端Ｅ１は第１端部の一例に相当し、下端Ｅ２は第２端部の一例に相当し、ゲート信号線Ｇ１は第１ゲート信号線の一例に相当し、ゲート信号線Ｇ２は第２ゲート信号線の一例に相当し、ゲート信号線Ｇ３は第３ゲート信号線の一例に相当し、ゲート信号線Ｇ１に接続された画素電極Ｐ１は、第１画素電極の一例に相当し、ゲート信号線Ｇ２に接続された画素電極Ｐ２は、第２画素電極の一例に相当し、ゲート信号線Ｇ３に接続された画素電極Ｐ３は、第３画素電極の一例に相当し、ゲート信号線Ｇ１に対応するソース信号が第１ソース信号の一例に相当し、ゲート信号線Ｇ２に対応するソース信号が第２ソース信号の一例に相当し、時間間隔Ｄ１は第１時間間隔の一例に相当し、時間間隔Ｄ２は第２時間間隔の一例に相当し、時間間隔Ｄ３は第３時間間隔の一例に相当する。
【００５３】
以上説明されたように、本実施形態では、ゲート信号線のゲート信号の出力タイミングと、当該ゲート信号線に対応するソース信号の出力タイミングとの時間間隔は、当該ゲート信号線に対応する画素電極とソース駆動部１４との距離に応じて設定されている。ここで、画素電極とソース駆動部１４との距離が大きくなると、画素電極に印加されるソース信号の波形の鈍り度合が大きくなる。したがって、本実施形態では、画素電極に印加されるソース信号の波形の鈍り度合が大きくなると、上記時間間隔が大きくなる。このため、ソース信号の波形が十分に変化した後で、ゲート信号が出力されることになる。その結果、本実施形態によれば、ソース信号の波形の鈍りによる影響を低減することができる。
【００５４】
すなわち、ソース信号の波形の鈍りによって、液晶の透過率が目標値からずれる場合がある。しかし、本実施形態では、液晶の透過率が目標値からのずれ量を小さくすることができる。これによって、表示部に表示される画像の品位の低下度合を低減することができる。
【００５５】
図４は、図３と異なる駆動モードにおいて、一のフレームにおける各部の信号を示すタイミングチャートである。図３では、カラム反転駆動モードの場合が示されていたのに対し、図４では、ドット反転駆動モードの場合が示されている。すなわち、ゲート信号線Ｇ１〜Ｇ８ごとに、ソース信号の極性が反転している。
【００５６】
図４において、時間間隔Ｄ１１，Ｄ１２，Ｄ１４，Ｄ１５は、それぞれ、ゲート信号線Ｇ１，Ｇ２，Ｇ４，Ｇ５のゲート信号の出力タイミングと、ゲート信号線Ｇ１，Ｇ２，Ｇ４，Ｇ５に対応するソース信号の出力タイミングとの時間間隔である。また、図示は省略されているが、時間間隔Ｄ１３，Ｄ１６，Ｄ１７は、それぞれ、ゲート信号線Ｇ３，Ｇ６，Ｇ７のゲート信号の出力タイミングと、ゲート信号線Ｇ３，Ｇ６，Ｇ７に対応するソース信号の出力タイミングとの時間間隔である。
【００５７】
一方、図３の場合と同様に、ゲート信号線Ｇ８のゲート信号の出力タイミングと、ゲート信号線Ｇ８に対応するソース信号の出力タイミングとの時間間隔はゼロである。すなわち両者の出力タイミングは一致している。このように、図３の場合と同様に、図４においても、ゲート信号線Ｇ１〜Ｇ７では、ソース信号の出力タイミングに対して、ゲート信号の出力タイミングが遅れるように、ゲートシフトクロック信号が出力されている。
【００５８】
ここで、図３の場合と同様に、ゲート信号線のゲート信号の出力タイミングと、ゲート信号線に対応するソース信号の出力タイミングとの時間間隔は、ゲート信号線に対応する画素電極とソース駆動部１４との距離に応じて設定されている。すなわち、時間間隔Ｄ１１〜Ｄ１７がＤ１１＞Ｄ１２＞Ｄ１３＞Ｄ１４＞Ｄ１５＞Ｄ１６＞Ｄ１７となるように、ゲートシフトクロック信号が出力される。これによって、図４の場合でも、図３の場合と同様に、ソース信号の波形の鈍りによる影響を低減することができる。
【００５９】
ここで、カラム反転駆動モード（図３）の場合とドット反転駆動モード（図４）の場合とを比べると、Ｄ１１＞Ｄ１、Ｄ１２＞Ｄ２、Ｄ１３＞Ｄ３、Ｄ１４＞Ｄ４、Ｄ１５＞Ｄ５、Ｄ１６＞Ｄ６、Ｄ１７＞Ｄ７に設定されている。すなわち、ゲート信号線のゲート信号の出力タイミングと、ゲート信号線に対応するソース信号の出力タイミングとの時間間隔は、それぞれ、図３の場合に比べて、図４の場合の方が大きい値に設定されている。
【００６０】
ドット反転駆動モードでは、印加電圧（ソース信号）の極性がゲート信号線ごとに反転している。このため、印加電圧の極性が反転していないカラム反転駆動モードに比べて、ドット反転駆動モードの方が、波形の鈍りによる影響が大きい。そこで、上記のように時間間隔を設定することにより、波形の鈍りによる影響の差を小さくすることができる。
【００６１】
なお、図４ではドット反転駆動モードとしているが、この実施形態はドット反転駆動モードに限られない。例えば２ラインごとに極性が反転する２ライン反転駆動モードでもよい。このような２ライン反転駆動モードでは、画素電極とソース駆動部１４との距離が同一の場合であって、直前のゲート信号線の印加電圧の極性に対して印加電圧の極性が反転する場合には、反転しない場合に比べて、上記のように時間間隔を大きい値に設定すればよい。すなわち、ゲート信号線のゲート信号の出力タイミングと、当該ゲート信号線に対応するソース信号の出力タイミングとの時間間隔を、画素電極とソース駆動部１４との距離と、印加電圧の極性が反転するか反転しないかとに基づき、設定すればよい。
【００６２】
図５は、別の実施形態における液晶表示装置の構成を示すブロック図である。図５では、図１と同一要素には同一符号が付され、説明は適宜省略される。図５に示されるように、液晶表示装置１ａは、図１に示される液晶表示装置１において、制御部１１に代えて制御部１１ａを備え、温度センサ１５を新たに備える。温度センサ１５は、液晶表示パネル１２の近傍の温度を検出する。温度センサ１５は、温度の検出結果を制御部１１ａに出力する。
【００６３】
制御部１１ａは、図１に示される制御部１１において、駆動制御部２１に代えて駆動制御部２１ａを備える。制御部１１ａは、各ゲート信号線のゲート信号の出力タイミングと、各ゲート信号線に対応するソース信号の出力タイミングとの時間間隔を、温度センサ１５により検出された温度によって切り替える。駆動制御部２１ａは、温度センサ１５により検出された温度が所定温度以上か否かを判定する。本実施形態において、温度センサ１５は温度検出部の一例に相当し、駆動制御部２１ａは判定部の一例に相当する。
【００６４】
例えば図３において、ゲート信号線Ｇ１のゲート信号の出力タイミングと、ゲート信号線Ｇ１に対応するソース信号の出力タイミングとの時間間隔Ｄ１を、制御部１１ａは、温度センサ１５により検出された温度が所定温度未満の場合にはＤ１Ｌとし、所定温度以上の場合にはＤ１Ｈとする。ここで、制御部１１ａは、Ｄ１Ｌ＞Ｄ１Ｈに設定する。
【００６５】
同様に、図３において、制御部１１ａは、時間間隔Ｄ２，Ｄ３，Ｄ４，Ｄ５を、温度センサ１５により検出された温度が所定温度未満の場合には、それぞれＤ２Ｌ，Ｄ３Ｌ，Ｄ４Ｌ，Ｄ５Ｌとし、所定温度以上の場合にはＤ２Ｈ，Ｄ３Ｈ，Ｄ４Ｈ，Ｄ５Ｈとする。また、図３では図示は省略されているが、制御部１１ａは、時間間隔Ｄ６，Ｄ７を、温度センサ１５により検出された温度が所定温度未満の場合には、それぞれＤ６Ｌ，Ｄ７Ｌとし、所定温度以上の場合にはＤ６Ｈ，Ｄ７Ｈとする。そして、制御部１１ａは、Ｄ２Ｌ＞Ｄ２Ｈ、Ｄ３Ｌ＞Ｄ３Ｈ、Ｄ４Ｌ＞Ｄ４Ｈ、Ｄ５Ｌ＞Ｄ５Ｈ、Ｄ６Ｌ＞Ｄ６Ｈ、Ｄ７Ｌ＞Ｄ７Ｈに設定する。
【００６６】
一般に、液晶は、温度が高くなると応答速度が高くなる。このため、液晶表示パネル１２では、温度が高くなると波形の鈍りによる影響が小さくなる。そこで、図５に示される実施形態では、ゲート信号線のゲート信号の出力タイミングと、ゲート信号線に対応するソース信号の出力タイミングとの時間間隔を、制御部１１ａは、温度センサ１５により検出された温度が所定温度未満の場合には、所定温度以上の場合に比べて、長くなるように設定する。
【００６７】
これによって、図５に示される実施形態では、ゲート信号線のゲート信号の出力タイミングと、ゲート信号線に対応するソース信号の出力タイミングとの時間間隔を、波形の鈍りによる影響の大きさに応じた適切な値に設定することができる。
【００６８】
図６は、さらに別の実施形態における液晶表示装置の構成を示すブロック図である。図６では、図１と同一要素には同一符号が付され、説明は適宜省略される。図６に示されるように、液晶表示装置１ｂは、図１に示される液晶表示装置１において、制御部１１に代えて制御部１１ｂを備え、ゲート駆動部１３に代えてゲート駆動部１３１を備える。制御部１１ｂは、図１に示される制御部１１において、駆動制御部２１に代えて駆動制御部２１ｂを備える。
【００６９】
駆動制御部２１ｂは、所定のタイミングで、ゲート駆動部１３１にマスク信号を出力する。ゲート駆動部１３１は、ゲート駆動部１３の機能を有する。また、ゲート駆動部１３１は、駆動制御部２１ｂからマスク信号が出力されると、ゲート信号の出力を停止するように構成されている。
【００７０】
図７は、図６の実施形態において、一のフレームにおける各部の信号の一例を示すタイミングチャートである。図８は、図６の実施形態において、一のフレームにおける各部の信号の別の例を示すタイミングチャートである。図７、図８は、駆動制御部２１ｂによるマスク信号の出力タイミングのみが異なる。図７、図８では、図３と同一要素には同一符号が付されている。図６乃至図８を用いて、本実施形態における、制御部１１によるゲート信号及びソース信号の出力タイミングが説明される。
【００７１】
図７の「ソース信号の出力タイミング」に示されているように、ソース信号線Ｓ１〜Ｓｍに対するソース信号は、一定期間Ｔｓずつ、ゲート信号線Ｇ１，Ｇ２，Ｇ３，・・・ごとに順番に出力される。すなわち、ゲート信号線Ｇ１に対応する、ソース信号線Ｓ１〜Ｓｍに対するソース信号が、時刻ｔ１から時刻ｔ２まで、一定期間Ｔｓの間出力される。続いて、ゲート信号線Ｇ２に対応する、ソース信号線Ｓ１〜Ｓｍに対するソース信号が、時刻ｔ２から時刻ｔ３まで、一定期間Ｔｓの間出力される。さらに、ゲート信号線Ｇ３に対応する、ソース信号線Ｓ１〜Ｓｍに対するソース信号が、時刻ｔ３から一定期間Ｔｓの間出力される。
【００７２】
図７の動作では、時刻ｔ１から時間間隔Ｄ１が経過した時刻に、ゲート信号線Ｇ１のゲート信号が出力され、ゲート信号線Ｇ１のゲート信号の出力後に、駆動制御部２１ｂからゲート駆動部１３１にマスク信号Ｍ１が出力される。具体的には、時刻ｔ２より後の時刻から、ゲート信号線Ｇ２のゲート信号が出力される時刻まで、時間Ｔ１１の間、マスク信号Ｍ１が出力されている。ここで、ゲート信号線Ｇ２のゲート信号が出力される時刻は、時刻ｔ２から、時間間隔Ｄ２が経過した時刻である。したがって、Ｔ１１＜Ｄ２になっている。そして、マスク信号Ｍ１が出力されている間、ゲート信号線Ｇ１のゲート信号の出力が停止されている。
【００７３】
同様に、ゲート信号線Ｇ２のゲート信号の出力後に、駆動制御部２１ｂからゲート駆動部１３１にマスク信号Ｍ２が出力される。具体的には、時刻ｔ２より後の時刻から、ゲート信号線Ｇ３のゲート信号が出力される時刻まで、時間Ｔ１２の間、マスク信号Ｍ２が出力されている。ここで、ゲート信号線Ｇ３のゲート信号が出力される時刻は、時刻ｔ３から、時間間隔Ｄ３が経過した時刻である。したがって、Ｔ１２＜Ｄ３になっている。そして、マスク信号Ｍ２が出力されている間、ゲート信号線Ｇ２のゲート信号の出力が停止されている。
【００７４】
図７に示されるように、時刻ｔ２に、ゲート信号線Ｇ２に対応するソース信号の出力が開始された時点では、まだゲート信号線Ｇ１のゲート信号が出力されている。したがって、ゲート信号線Ｇ２に対応するソース信号が、ゲート信号線Ｇ１に接続された画素電極に印加されることになる。しかし、マスク信号Ｍ１が出力されて、ゲート信号線Ｇ１のゲート信号の出力が停止される。その結果、ゲート信号線Ｇ２に対応するソース信号は、ゲート信号線Ｇ１に接続された画素電極に印加されなくなる。
【００７５】
同様に、時刻ｔ３に、ゲート信号線Ｇ３に対応するソース信号の出力が開始された時点では、まだゲート信号線Ｇ２のゲート信号が出力されている。したがって、ゲート信号線Ｇ３に対応するソース信号が、ゲート信号線Ｇ２に接続された画素電極に印加されることになる。しかし、マスク信号Ｍ２が出力されて、ゲート信号線Ｇ２のゲート信号の出力が停止される。その結果、ゲート信号線Ｇ３に対応するソース信号は、ゲート信号線Ｇ２に接続された画素電極に印加されなくなる。
【００７６】
このように、図７の動作では、駆動制御部２１ｂは、ゲート信号線Ｇ１のゲート信号の出力開始後から、ゲート信号線Ｇ２のゲート信号の出力開始時点まで、ゲート駆動部１３１にマスク信号Ｍ１を出力する。また、駆動制御部２１ｂは、ゲート信号線Ｇ２のゲート信号の出力開始後から、ゲート信号線Ｇ３のゲート信号の出力開始時点まで、ゲート駆動部１３１にマスク信号Ｍ２を出力する。これによって、ソース信号が所望のゲート信号線に隣接するゲート信号線に接続された画素電極に印加されることによる影響の度合を低減することができる。図７の動作において、ゲート信号線Ｇ１のゲート信号が第１ゲート信号の一例に相当し、ゲート信号線Ｇ２のゲート信号が第２ゲート信号の一例に相当し、ゲート信号線Ｇ３のゲート信号が第３ゲート信号の一例に相当する。
【００７７】
一方、図８の動作では、時刻ｔ１から時間間隔Ｄ１が経過した時刻に、ゲート信号線Ｇ１のゲート信号が出力され、ゲート信号線Ｇ１のゲート信号の出力後に、駆動制御部２１ｂからゲート駆動部１３１にマスク信号Ｍ１１が出力される。具体的には、時刻ｔ２より前の時刻から、ゲート信号線Ｇ２のゲート信号が出力される時刻まで、時間Ｔ２１の間、マスク信号Ｍ１１が出力されている。ここで、ゲート信号線Ｇ２のゲート信号が出力される時刻は、時刻ｔ２から、時間間隔Ｄ２が経過した時刻である。したがって、Ｔ２１＞Ｄ２になっている。そして、マスク信号Ｍ１１が出力されている間、ゲート信号線Ｇ１のゲート信号の出力が停止されている。
【００７８】
同様に、ゲート信号線Ｇ２のゲート信号の出力後に、駆動制御部２１ｂからゲート駆動部１３１にマスク信号Ｍ１２が出力される。具体的には、時刻ｔ２より前の時刻から、ゲート信号線Ｇ３のゲート信号が出力される時刻まで、時間Ｔ２２の間、マスク信号Ｍ１２が出力されている。ここで、ゲート信号線Ｇ３のゲート信号が出力される時刻は、時刻ｔ３から、時間間隔Ｄ３が経過した時刻である。したがって、Ｔ２２＞Ｄ３になっている。そして、マスク信号Ｍ１２が出力されている間、ゲート信号線Ｇ２のゲート信号の出力が停止されている。
【００７９】
図８では、図７と異なり、時刻ｔ２にゲート信号線Ｇ２に対応するソース信号の出力が開始される前に、マスク信号Ｍ１１により、ゲート信号線Ｇ１のゲート信号の出力が停止されている。したがって、ゲート信号線Ｇ２に対応するソース信号が、ゲート信号線Ｇ１に接続された画素電極に印加されることはない。同様に、時刻ｔ３にゲート信号線Ｇ３に対応するソース信号の出力が開始される前に、マスク信号Ｍ１２により、ゲート信号線Ｇ２のゲート信号の出力が停止されている。したがって、ゲート信号線Ｇ３に対応するソース信号が、ゲート信号線Ｇ２に接続された画素電極に印加されることはない。
【００８０】
このように、図８の動作では、駆動制御部２１ｂは、ゲート信号線Ｇ１のゲート信号の出力開始後であってゲート信号線Ｇ２に対応するソース信号の出力開始前から、ゲート信号線Ｇ２のゲート信号の出力開始時点まで、ゲート駆動部１３１にマスク信号Ｍ１１を出力する。また、駆動制御部２１ｂは、ゲート信号線Ｇ２のゲート信号の出力開始後であってゲート信号線Ｇ３に対応するソース信号の出力開始前から、ゲート信号線Ｇ３のゲート信号の出力開始時点まで、ゲート駆動部１３１にマスク信号Ｍ１２を出力する。これによって、ソース信号が所望のゲート信号線に隣接するゲート信号線に接続された画素電極に印加されるのを防止することができる。図８の動作において、ゲート信号線Ｇ１のゲート信号が第１ゲート信号の一例に相当し、ゲート信号線Ｇ２のゲート信号が第２ゲート信号の一例に相当し、ゲート信号線Ｇ２に対応するソース信号が第２ソース信号の一例に相当し、ゲート信号線Ｇ３に対応するソース信号が第３ソース信号の一例に相当する。
【００８１】
なお、上記各実施形態において、信号処理部２２は、画素電極に印加される電圧（ソース信号）のレベルを、入力画像信号に基づくレベルに比べて、電圧がより大きく変化する方向にシフトしてもよい。例えば図３において、ゲート信号線Ｇ１に対応するソース信号のレベルを、（＋）の方向に増大してもよい。また、ゲート信号線Ｇ２に対応するソース信号のレベルを、０に近づく方向に低減してもよい。このように、信号処理部２２から出力されるソース信号のレベルをオーバードライブ方向にシフトすることによって、液晶の応答を早めることができる。また、信号処理部２２が、このようなソース信号のレベルをオーバードライブ方向にシフトする制御を行う場合には、上記実施形態で説明したソース信号の波形鈍りによる影響が大きくなるため、上記各実施形態による効果は大きいものとなる。
【産業上の利用可能性】
【００８２】
画像を表示部に表示する表示装置において、画素電極の位置によって生じるソース信号の波形の差異による影響を低減することができる表示装置として有用である。
【符号の説明】
【００８３】
１１、１１ａ  制御部
１２  液晶表示パネル
１３  ゲート駆動部
１４  ソース駆動部
１５  温度センサ
２１、２１ａ  駆動制御部
２２  信号処理部
Ｂ  青色の画素電極
Ｇ  緑色の画素電極
Ｇ１，Ｇ２，・・・，Ｇｎ  ゲート信号線
Ｐ１，Ｐ２，Ｐ３，・・・，Ｐｎ  画素電極
Ｒ  赤色の画素電極
Ｓ１，Ｓ２，・・・，Ｓｍ  ソース信号線
【図１】
2014063029.tif 000003
【図２】
2014063029.tif 000004
【図３】
2014063029.tif 000005
【図４】
2014063029.tif 000006
【図５】
2014063029.tif 000007
【図６】
2014063029.tif 000008
【図７】
2014063029.tif 000009
【図８】
2014063029.tif 000010